(57)【要約】【課題】発光手段３の照射部３ａの光が直接見えることなく且つ水路領域２ａを流れる水流Ｗの横断面における全周囲から光るようにする。【解決手段】水流を外観できる領域２ｃを有する水流路２と、水流路２の内側に照射部３ａを臨ませ発光手段３と、水流路２を流れる流体Ｗに多数の気泡Ｂを混入する気泡混入手段４を備え、水流路２の水流を外観できる領域２ｃを、多数の気泡を混入すると共に照射部３ａの照射する光を通過させる水流が流れること。【効果】照射部３ａからの光が、水流路２を流れる水流Ｗへ直接照射されるので、外観できる領域２ｃの外側から直接みえることもなく、また、外観できる領域２ｃを流れる流体Ｗを通過する光が、流体Ｗ中に混入した多数の気泡Ｂで乱反射するので、水流路２の横断面における全周囲から外側へ漏れ出すことになる。【選択図】図１
2006125060.tif 000002
【特許請求の範囲】
【請求項１】
水流を外観できる領域を有する水流路と、発光手段とを備えた水流の発光装置において、前記水流路の内側に前記発光手段の照射部を臨ませ、前記水流路を流れる流体に多数の気泡を混入する気泡混入手段を備え、前記水流路の水流を外観できる領域へ、多数の気泡が混入されると共に前記照射部から照射された光が通過する状態で水流を流すことを特徴とする水流の発光装置。
【請求項２】
前記水流路は、吐水口から下流側へ前記水流を外観できる領域を延設し、前記気泡混入手段は、前記水流路の該吐水口より上流側で気泡を混入させるようにした請求項１記載の水流の発光装置。
【請求項３】
前記水流路は、前記水流を外観できる領域を透視可能なパイプの内側に形成し、前記気泡混入手段は、該パイプの内側面に複数個の気泡投入口を水流方向に沿って適宜間隔毎に開口し、気泡を投入する気泡投入口を選択する気泡投入口選択手段を備えている請求項１記載の水流の発光装置。
【請求項４】
前記気泡混入手段は、前記流体に混入する単位時間当たりの気泡の個数を制御する気泡調節手段を備えている請求項１，２又は３記載の水流の発光装置。
【請求項５】
前記気泡混入手段は、前記流体に混入する気泡の一粒の大きさを制御する気泡調節手段を備えている請求項１乃至４のいずれか１項に記載の水流の発光装置。
【請求項６】
前記気泡混入手段は、前記流体に混入する気泡に関して、単位時間当たりの気泡の混入個数、気泡の一粒の大きさ又は混入する時間帯のち、少なくとも一つを制御対象とする気泡調節手段と、音を発生する音響装置と、音響装置の音情報に基づいて気泡調節手段の制御の目標値を決定する連動手段を備えた請求項１，２又は３記載の水流の発光装置。
【請求項７】
前記気泡混入手段は、前記流体に混入する気泡に関して、単位時間当たりの気泡の混入個数、気泡の一粒の大きさ又は混入する時間帯のち、少なくとも一つを制御対象とする気泡調節手段と、発光手段の照射情報に基づいて気泡調節手段の制御の目標値を決定する連動手段を備えた請求項１，２又は３記載の水流の発光装置。
【請求項８】
吐水口から自由に吐水できる吐水領域を有する水流路と、発光手段とを備えた水流の発光装置において、前記発光手段は、前記水流路の内側に照射部を臨ませ、指定した吐水量を吐水口から吐水させる水量調節手段と、前記水流路の発光開始位置と吐水量の関係に基づいて、指定した発光開始位置に対応する吐水量を該水量調節手段へ指定する水量決定手段を備えたことを特徴とする水流の発光装置。
【請求項９】
音を発生する音響装置と、音響装置の音情報に基づいて前記水量決定手段に指定する発光開始位置を決定する連動手段を備えた請求項８記載の水流の発光装置。
【請求項１０】
前記発光手段の照射情報に基づいて前記水量決定手段に指定する発光開始位置を決定する連動手段を備えた請求項８記載の水流の発光装置。
【発明の詳細な説明】
【技術分野】
【０００１】
本発明は、水栓又はシャワー等から吐出した水流又は透明管を通過する水流を発光させる装置に関するものである。
【背景技術】
【０００２】
吐出した水流を光らせる装置には、特許文献１に記載の装置（以下、「前者装置」という）と、特許文献２に記載の装置（以下、「後者装置」という）がある。前者装置は、水栓の吐水口から外部へ延設する外部吐水流路の外側に、外部吐水流路へ向かって光を照射する透光手段を配置し、吐水流を介して透光手段の光を看取することで、水流が光っているようにするものである。後者装置は、水栓の内部に設けた内部吐水流路又は水栓の吐水口から外部へ延設する外部吐水流路に向かって光を照射する発光手段を配置し、水流を光らせようとするものである。
【特許文献１】特開２０００−３３６７１０号公報
【特許文献２】特許２９４９８１８号公報
【発明の開示】
【発明が解決しようとする課題】
【０００３】
（１）前者装置及び後者装置の外部吐水流路に向かって光を照射する場合は、外部吐水路を横断面に沿ってみたときの発光手段の照射領域と吐水流の領域とが合致しないと、発光手段の光が直接見えたり、逆に、水流の光らない部分が生じたりする場合があり、良好に水流を光らせることができないことがある。そして、前者装置では、外部吐出水路の外側から外部吐出水路へ向かって光を照射しているので、吐水流だけが光っているように外部吐出水路のみに光を照射することが難しく、吐水流だけが光らずに見栄えが良くなかった。また、後者装置では、内部吐水流路に向かって光を照射するか、又は吐水口から外部吐水流路に向かって光を照射するので、吐水流中を通過する光が平滑な吐水流表面で全反射をし続けて吐水流の外側へ漏れ出す光量が少なくなるため、吐水流があまり光っているように見えない。
【０００４】
（２）前者装置及び後者装置の外部吐水流路に向かって照射する場合は、発光手段の吐水方向に沿った位置を変更することが難しいため、水流の光る位置を変更させるのが困難である。
【０００５】
（３）前者装置及び後者装置の外部吐水流路に向かって照射する場合は、発光手段の照射領域の大きさを変更することが難しいため、水流の光る範囲の大きさを変更させるのが困難である。
【０００６】
（４）水栓の一般的な吐出水量における水流の表面状態は、吐水口に近い上流側が平滑面（層流面）となり、吐水口から離れる下流側が乱れた非平滑面（乱流面）となる。そのため、後者装置の内部吐水流路に向かって照射する場合、吐水流中を通過する光は、平滑な表面で全反射し続ける上流側で外側へ漏れ出すことはなく、非平滑な表面で反射することの少ない下流側で外側へ漏れ出して水流を光らせるため、水流の吐水口に近い上流側を光らすことができない。
【０００７】
（５）吐水口から吐水する水流の表面における平滑面（層流面）から非平滑面（乱流面）へ変化する位置が吐出水量により異なるため、後者装置の内部吐水流路に向かって照射する場合、水流の光る開始位置を所望位置に制御するのが難しい。
【課題を解決するための手段】
【０００８】
前記（１）の問題を解決するために、発光手段の光が直接見えることなく且つ水流の横断面における全周囲から光るように請求項１記載の本発明が採用した手段は、水流を外観できる領域を有する水流路と、発光手段とを備えた水流の発光装置において、前記水流路の内側に前記発光手段の照射部を臨ませ、前記水流路を流れる流体に多数の気泡を混入する気泡混入手段を備え、前記水流路の水流を外観できる領域へ、多数の気泡が混入されると共に前記照射部から照射された光が通過する状態で水流を流すことを特徴とする水流の発光装置である。
【０００９】
請求項１記載の本発明にあっては、照射部からの光が、水流路を流れる水流へ直接照射されるので、水流を外観できる領域の外側から直接みえることもなく、また、水流を外観できる領域を流れる流体中を通過する光が、流体中に混入している多数の気泡で乱反射するので、水流路の横断面における全周囲から外側へ漏れ出すことになる。
【００１０】
前記（４）の問題を解決するために、水流の吐水口に近い上流側から発光することができるように請求項２記載の本発明が採用した手段は、前記水流路は、吐水口から下流側へ前記水流を外観できる領域を延設し、前記気泡混入手段は、前記水流路の該吐水口より上流側で気泡を混入させるようにした請求項１記載の水流の発光装置である。
【００１１】
請求項２記載の本発明にあっては、吐水口から吐水する水流に気泡が含まれているので、吐水流の吐水口に近い上流側で光が、流体中の気泡で反射して外側へ漏れ出すことになる。
【００１２】
前記（２）の問題を解決するために、水流の光る位置を変更させることができるように請求項３記載の本発明が採用した手段は、前記水流路は、前記水流を外観できる領域を透視可能なパイプの内側に形成し、前記気泡混入手段は、該パイプの内側面に複数個の気泡投入口を水流方向に沿って適宜間隔毎に開口し、気泡を投入する気泡投入口を選択する気泡投入口選択手段を備えている請求項１記載の水流の発光装置である。
【００１３】
請求項３記載の本発明にあっては、気泡投入口選択手段で複数個の気泡投入口の中から選択した気泡投入口から流体へ気泡を混入することで、流体を通過する光が、選択した気泡投入口より下流側に存在する多数の気泡で乱反射して外側へ漏れ出すことになる。
【００１４】
前記（３）の問題を解決するために、水流の光る範囲の大きさを変更させることができるように請求項４記載の本発明が採用した手段は、前記気泡混入手段は、前記流体に混入する単位時間当たりの気泡の個数を制御する気泡調節手段を備えている請求項１，２又は３記載の水流の発光装置である。
【００１５】
請求項４記載の本発明にあっては、気泡の粒の大きさが一定の場合、気泡の単位時間当たりの混入個数が多くなる程に、水流の単位体積当たりの反射する面積が大きくなって外側へ漏れ出す光量が多くなり、水流の下流側へ移行する光量が低下することになり、逆に、気泡の単位時間当たりの混入個数が少なくなる程に、水流の単位体積当たりの反射する面積が小さくなって外側へ漏れ出す光量が少なくなり、水流の下流側へ移行する光量が増加することになるため、気泡調節手段で気泡の生成個数を調節することで、水流の下流側へ移行する光量を増減できる。
【００１６】
水流が放つ光の照度を変更させることができるように請求項５記載の本発明が採用した手段は、前記気泡混入手段は、前記流体に混入する気泡の一粒の大きさを制御する気泡調節手段を備えている請求項１乃至４のいずれか１項に記載の水流の発光装置である。
【００１７】
請求項５記載の本発明にあっては、混入する単位時間当たりの気泡の総体積が一定の場合において、気泡を細かくして水流の単位体積当たりに含まれる気泡の総表面積を多くすることで漏れ出す光量が多くなり、逆に、気泡を大きくして水流の単位体積当たりに含まれる気泡の総表面積を少なくすることで漏れ出す光量が少なくなる。
【００１８】
音の変化と水流の光る状態の変化とを連動させるために請求項６記載の本発明が採用した手段は、前記気泡混入手段は、前記流体に混入する気泡に関して、単位時間当たりの気泡の混入個数、気泡の一粒の大きさ又は混入する時間帯のち、少なくとも一つを制御対象とする気泡調節手段と、音を発生する音響装置と、音響装置の音情報に基づいて気泡調節手段の制御の目標値を決定する連動手段を備えた請求項１，２又は３記載の水流の発光装置である。
【００１９】
請求項６記載の本発明にあっては、気泡調節手段により単位時間当たりの気泡の混入個数を変更することで水流の光る範囲の大きさを変化させることができ、気泡の一粒の大きさを変更することで水流の照度を変化させることができ、また、混入する時間帯を変更することで水流の発光する時間帯を変化させることができるため、音情報（例えば、音量や、周波数に関する音質等の情報）に基づいて気泡調節手段の制御の目標値を連動手段で決定することで、音の変化と水流の発光の変化とを連動させることができる。
【００２０】
照射の変化と水流の光る状態の変化とを連動させるために請求項７記載の本発明が採用した手段は、前記気泡混入手段は、前記流体に混入する気泡に関して、単位時間当たりの気泡の混入個数、気泡の一粒の大きさ又は混入する時間帯のち、少なくとも一つを制御対象とする気泡調節手段と、発光手段の照射情報に基づいて気泡調節手段の制御の目標値を決定する連動手段を備えた請求項１，２又は３記載の水流の発光装置である。
【００２１】
請求項７記載の本発明にあっては、気泡調節手段により単位時間当たりの気泡の混入個数を変更することで水流の光る範囲の大きさを変化させることができ、気泡の一粒の大きさを変更することで水流の照度を変化させることができ、また、混入する時間帯を変更することで水流の発光する時間帯を変化させることができるため、照射情報（例えば、照度や、色彩等の情報）に基づいて気泡調節手段の制御の目標値を連動手段で決定することで、照射の変化と水流の光る状態の変化とを連動させることができる。
【００２２】
前記（１）及び（５）の問題を解決するために、吐水路を流れる水流の光る開始位置を指定できるようにするために請求項８記載の本発明が採用した手段は、吐水口から自由に吐水できる吐水領域を有する水流路と、発光手段とを備えた水流の発光装置において、前記発光手段は、前記水流路の内側に照射部を臨ませ、指定した吐水量を吐水口から吐水させる水量調節手段と、前記水流路の発光開始位置と吐水量の関係に基づいて、指定した発光開始位置に対応する吐水量を該水量調節手段へ指定する水量決定手段を備えたことを特徴とする水流の発光装置である。
【００２３】
請求項８記載の本発明にあっては、照射部からの光が、水流路を流れる水流へ直接照射されるので、水流を外観できる吐水領域の外側から直接みえることもなく、また、水流を外観できる吐水領域を流れる流体を通過する光が、水流路の横断面における全周囲から外側へ漏れ出すことになる。更に、本発明にあっては、指定した発光開始位置を水量決定手段に入力すると、水量決定手段から指示を受けた水量調節手段が対応する吐水量に調節し、吐水領域を流れる水流の指定した発光開始位置から下流側で光を外側へ漏れ出させて発光する。
【００２４】
音の変化と吐水する水流の光る開始位置の変化とを連動させるために請求項９記載の本発明が採用した手段は、音を発生する音響装置と、音響装置の音情報に基づいて前記水量決定手段に指定する発光開始位置を決定する連動手段を備えた請求項８記載の水流の発光装置である。
【００２５】
請求項９記載の本発明にあっては、音情報（例えば、音量や、周波数に関する音質等の情報）に基づいて連動手段で発光開始位置を決定することで、音の変化と水流の発光する開始位置の変化とを連動させることができる。
【００２６】
照射の変化と水流の光る開始位置の変化とを連動させるために請求項１０記載の本発明が採用した手段は、前記発光手段の照射情報に基づいて前記水量決定手段に指定する発光開始位置を決定する連動手段を備えた請求項８記載の水流の発光装置である。
【００２７】
請求項１０記載の本発明にあっては、照射情報（例えば、照度や、色彩等の情報）に基づいて連動手段で発光開始位置を決定することで、照射の変化と水流の発光する開始位置の変化とを連動させることができる。
【発明の効果】
【００２８】
請求項１記載の本発明に係る水流の発光装置は、発光手段の光が直接見ることもなく且つ水流の横断面における全周囲から光が放されるので、従来装置に比べて吐水流がより明るく光っているように見え、看者を快い気分にさせることができる。
請求項２記載の本発明に係る水流の発光装置は、水流の吐水口に近い上流側から発光することができる。
【００２９】
請求項３記載の本発明に係る水流の発光装置は、複数個の気泡投入口の中から任意の気泡投入口を選択することで、水流の光る位置を変更させることができる。
請求項４記載の本発明に係る水流の発光装置は、水流の光る範囲の大きさを変更することができる。
【００３０】
請求項５記載の本発明に係る水流の発光装置は、気泡調節手段で気泡の一粒の大きさを調節することで、水流の照度を変更させることができる。
請求項６記載の本発明に係る水流の発光装置は、音の変化と光の変化との連動によるリラクゼーション効果を使用者に与えることができる。
【００３１】
請求項７記載の本発明に係る水流の発光装置は、照射の変化と水流の光る状態の変化との連動によるリラクゼーション効果を使用者に与えることができる。
請求項８記載の本発明に係る水流の発光装置は、発光手段の光が直接見ることもなく且つ水流の横断面における全周囲から光が放されるので、従来装置に比べて看者を快い気分にさせることができると共に、吐水路を流れる水流の光る開始位置を指定できるようになる。
【００３２】
請求項９記載の本発明に係る水流の発光装置は、音の変化と発光開始位置の変化との連動によるリラクゼーション効果を使用者に与えることができる。
請求項１０記載の本発明に係る水流の発光装置は、照射の変化と水流の光る開始位置の変化との連動によるリラクゼーション効果を使用者に与えることができる。
【発明を実施するための最良の形態】
【００３３】
本発明に係る水流の発光装置（以下、「本発明装置」と言う。）を図面に示す実施形態に基づいて説明する。
【００３４】
（第１の実施の形態）
図１乃至図５は本発明装置の第１の実施の形態における要部を断面した正面図及びブロック図を併記したものであり、図１及び図２は気泡混入手段の配置位置が異なる態様を示すものであり、図３はスリット状の吐出口から帯状の水流を吐出している態様を示すものであり、図４は複数の吐出口から水流を吐出している態様を示すものであり、図５は複数の吐水口を備えると共に各吐水口より下流側の一部を透視可能なパイプで形成した態様を示すものである。
【００３５】
本実施の形態に係る本発明装置１は、図１乃至図５に示す如く、水流路２、発光手段３及び気泡混入手段４を備えている。水流路２は、水栓具等の吐水具５の内部に形成した領域２ａと、吐水具５に開設した吐水口５ａとなる領域２ｂと、吐水口５ａから外部へ延設して水路外側から水流を外観できる領域２ｃとからなり、吐水具５の内部に形成した領域２ａが開閉弁６を介して給水路７に連通している。吐水具５の吐水口５ａは、図１及び図２に示す如く、一個の円状にして吐出する水流Ｗを一筋の円柱状にするものや、図３に示す如く、一個のスリット状にして吐出する水流Ｗを幕状とするものや、図４に示す如く、各口を円状にした複数個から形成して吐出する水流Ｗを複数筋の円柱状にするものがある。更に、吐水口５ａは、図５に示す如く、複数個を備えると共に、各口から延設した水流を外観できる領域２ｃの一部を、ガラス又は合成樹脂素材から成形した透視可能なパイプ１５で形成するものもある。
【００３６】
前記発光手段３は、図１乃至図５に示す如く、水流路２の内側に照射部３ａを臨ませ、水流路２を流れる水流Ｗで照射部３ａの全体を覆うようにして、照射部３ａから水流路２へ向かって照射した光を前記水流を外観できる水路領域２ｃの外側から直接見えないようにしてある。本例の発光手段３は、吐水具５の外側に設けたＬＥＤ等からなるランプ８と、ガラス又は合成樹脂素材等から形成され、吐水具５の外側から吐水具５の内部の水路領域２ａへ挿入した導光部材９とからなり、ランプ８の発する光を導光部材９の一端面９ａで取り込んで他端面９ｂ（照射部３ａ）から水路領域２ｂ（吐水口５ａ）へ向かって照射し、照射した光が水流Ｗへ入射し、入射した光が前記水流を外観できる水路領域２ｃを流れる水流Ｗを通過するようにしてある。前記ランプ８は、三原色の各色フランプを備えて、各ランプの組合せで所望の色彩の光を放つようにすることもある。発光手段３は、給電制御回路２１を備え、ランプ８の点灯時間帯、照度及び色彩等を給電制御回路２１で制御するようにしてある。なお、発光手段３から照射されて前記水流を外観できる水路領域２ｃを流れる水流Ｗを通過する光は、水流Ｗに多数の気泡Ｂを含ませない限り、水流Ｗの表面が平滑（層流）な上流側領域（層流域）Ｗａで全反射し続けて外側へ漏れ出すことはなく、反射することが無く又は少ない非平滑な表面となる下流側領域（乱流域）Ｗｂで外側へ漏れ出して水流Ｗを光らせることになる。すなわち、水流Ｗの表面が平滑面な上流側領域Ｗａでは、水流表面から光が漏れ出すことはない。
【００３７】
前記気泡混入手段４は、図１に示す如く、水流路２を流れる流体に多数の気泡を混入するものであり、エアーコンプレッサー等の圧縮装置（図示略）と開閉弁１０を介して連通する気泡噴射ノズル１１を吐水具５の内部の水路領域２ａへ挿入すると共に、気泡噴射ノズル１１の噴出孔（図示略）を水路領域２ａに開口し、噴出孔から噴出した気泡Ｂを水路領域２ａを流れる水流Ｗへ混入させるようにしてある。気泡噴射ノズル１１は、図１に示す如く、水流路２における導光部材９より上流側に配置する以外に、図２に示す如く、発光手段３の照射部３ａより下流側に配置することもある。この場合、気泡噴射ノズル１１は、発光手段３の照射部３ａ（導光部材９の他端面９ｂ）から吐水口５ａへ至る光路を遮断しないように配置する。なお、図３乃至図５に示す形態の本発明装置１は、気泡噴射ノズル１１を、図２に示すように発光手段３の照射部３ａより下流側に配置することも可能である。
【００３８】
前記気泡混入手段４で多数の気泡Ｂを混入した水流Ｗは、通過する光が多数の気泡Ｂで乱反射して前記水流を外観できる水路領域２ｃの横断面における全周囲から外側へ漏れ出し、発光することになる。図１乃至図５に示す本例の場合には、水流路２の内部に形成した領域２ａで気泡Ｂを混入することで、吐水口５ａから吐水する水流Ｗに気泡Ｂが含まれることになり、水流Ｗの光る範囲Ｌの始点が吐水口５ａの出口となる。
【００３９】
前記気泡混入手段４は、図１乃至図５に示す如く、（イ）：気泡Ｂの粒の大きさ、（ロ）：気泡Ｂの単位時間当たりの混入個数及び（ハ）：混入する時間帯のうち、少なくとも一つを制御対象とする気泡調節手段１２を備えている。制御対象の組合せとしては、前記（イ），（ロ）又は（ハ）の単独、（イ）と（ロ）の組合せ、（ロ）と（ハ）の組合せ、（イ）と（ハ）の組合せ、または、（イ）と（ロ）と（ハ）の組合せがある。気泡混入手段４は、混入する時間帯の制御を行う開閉弁１０と、気泡Ｂの粒の大きさ及び／又は単位時間当たりの混入個数の制御を行う操作部１３と、開閉弁１０及び操作部１３に指令信号ａ，ｂを発する制御回路１４とを備えている。気泡調節手段１２の制御構造は、例えば、気泡を噴出するノズル孔の開口面積を調節可能とすると共に操作部１３でノズル孔の開口面積を調節して気泡Ｂの粒の大きさを制御し、また、気泡を噴出するノズル孔へ供給する空気流量を流量調節弁等で調節可能とすると共に操作部１３で空気流量を調節して気泡Ｂの単位時間当たりの混入個数の制御を行うようになっている。
【００４０】
前記気泡調節手段１２は、流体Ｗに混入する単位時間当たりの気泡の個数を制御することで、水流Ｗの光る範囲Ｌの大きさを変更することができる。すなわち、気泡Ｂの一粒の大きさが一定の場合には、気泡Ｂの気単位時間当たりの混入個数が多くなる程に、水流Ｗの単位体積当たりの乱反射する面積が大きくなって水路流路２ｃの外側へ漏れ出す光量が多くなり、水流Ｗの下流側へ移行する光量が低下することになり、逆に、気泡Ｂの単位時間当たりの混入個数が少なくなる程に、水流Ｗの単位体積当たりの乱反射する面積が小さくなって水路流路２ｃの外側へ漏れ出す光量が少なくなり、水流Ｗの下流側へ移行する光量が増加することになる。この結果、気泡調節手段１２で気泡Ｂの生成個数を調節することで、水流Ｗの下流側へ移行する光量を増減できることになり、水流Ｗの光る範囲Ｌの送水方向に沿った長さを変更することができるようになる。
【００４１】
前記気泡調節手段１２は、流体Ｗに混入する気泡Ｂの一粒の大きさを制御することで、水流Ｗが放つ光の照度を変更することができる。すなわち、混入する単位時間当たりの気泡Ｂの総体積が一定の場合において、気泡Ｂを細かくして水流Ｗの単位体積当たりに含まれる複数個の気泡Ｂの総表面積を多くすることで漏れ出す光量が多くなり、逆に、気泡Ｂを大きくして水流の単位体積当たりに含まれる複数個の気泡Ｂの総表面積を少なくするこ．で漏れ出す光量が少なくなり、水流Ｗが放つ光の照度を変更させることができるようになる。
【００４２】
本実施の形態に係る本発明装置１は、図１乃至図５に示す如く、音響装置１６を備えている。音響装置１６は、音楽テープ、ＣＤ（コンパクトディスク）若しくはＭＤ（ミニディスク）等を再生するプレーヤー、または、ラジオ電波を受信するチューナー等からなる音源供給装置１７と、コントロール回路付きの増幅器１８と、スピーカ１９とを備え、音源供給装置１７の音源信号を増幅器１８で増幅してスピーカ１９で発音するようにしてある。
【００４３】
本実施の形態に係る本発明装置１は、図１乃至図５に示す如く、前記音源供給装置１７の音の変化と水流Ｗの光る状態の変化とを連動させるために、前記音響装置１６の発する音情報（例えば、音量や、周波数に関する音質等の情報）に基づいて前記気泡調節手段１２の制御対象（（イ）：気泡Ｂの粒の大きさ、（ロ）：気泡Ｂの単位時間当たりの混入個数及び／又は（ハ）：混入する時間帯）の目標値を決定する連動手段２０を備えている。制御対象の組合せとしては、前記（イ），（ロ）又は（ハ）の単独、（イ）と（ロ）の組合せ、（ロ）と（ハ）の組合せ、（イ）と（ハ）の組合せ、または、（イ）と（ロ）と（ハ）の組合せがある。音情報の内容に基づく制御の目標値の決定は、予め定めたルールに基づいて行われる。連動手段２０から目標値の指示を受けた制御回路１４は、水流Ｗの単位時間当たりの気泡Ｂの混入個数を制御することで、音情報と連動して水流Ｗの光る範囲Ｌの大きさを変化させることができ、気泡Ｂの一粒の大きさを変更することで水流Ｗの照度を変化させることができ、また、混入する時間帯を変更することで水流Ｗの発光する時間帯を変化させることができ、音の変化と水流の発光の変化とを連動させ、リラクゼーション効果を使用者に与えることができる。
【００４４】
また、本実施の形態に係る本発明装置１は、図１乃至図５に示す如く、照射の変化と水流Ｗの光る状態の変化とを連動させるために、給電制御回路２１からの照射情報（例えば、照度や、色彩等の情報）に基づいて前記発光手段３の気泡調節手段１２の制御対象（気泡Ｂの粒の大きさ、気泡Ｂの単位時間当たりの混入個数及び混入する時間帯）の目標値を連動手段２０で決定するように構成することもある。照射情報の内容に基づく制御の目標値の決定は、予め定めたルールに基づいて行われる。連動手段２０から目標値の指示を受けた制御回路１４は、水流Ｗの単位時間当たりの気泡Ｂの混入個数を制御することで、照射情報と連動して水流Ｗの光る範囲Ｌの大きさを変化させることができ、気泡Ｂの一粒の大きさを変更することで水流Ｗの照度を変化させることができ、また、混入する時間帯を変更することで水流Ｗの発光する時間帯を変化させることができ、発光手段３の照射の変化と水流Ｗの発光の変化とを連動させ、リラクゼーション効果を使用者に与えることができる。
【００４５】
図１乃至図５に示す本例の本発明装置１は、下垂方向へ吐水する態様のものであるが、これに限定するものではなく、水平方向から下垂方向の間の任意角度で吐水する態様のものや、斜め上方へ吐水する態様や、垂直な上方へ吐水する態様のものであってもよい。また、本発明装置１は、図４及び図５に示す、複数の吐水口を備える場合には、身体を洗うシャワーヘッド（図示略）に適用することも可能である。シャワーヘッド（図示略）に適用する場合には、発光手段３を設けた吐水具５でシャワーヘッドを形成し、開閉弁（例えば、湯水混合水栓）６側に気泡混入手段４を設け、気泡混入手段４側と吐水具５からなるシャワーヘッド側とをホースで連結するとよい。なお、気泡混入手段４の操作部１３を手動操作するタイプの場合には、吐水具５からなるシャワーヘッド側に気泡混入手段４を設けることもある。
【００４６】
（第２の実施の形態）
図６は本発明装置の第２の実施の形態を示すものであって、要部を断面した正面図及びブロック図を併記したものである。本実施の形態に係る本発明装置３１が図１に示す第１の実施形態の本発明装置１と相違する点は、吐水具５に設けた複数個の吐水口５ａの各々から水流を外観できる領域２ｃを延設すると共に、各外観できる領域２ｃ毎に一組の発光手段３を設け、各発光手段３から対応する水路領域２ｂ（吐水口５ａ）へ向かって照射するようにしたことである。
【００４７】
上記相違点以外の構成は、図１に示す第１の実施形態の本発明装置１と実質的に同一であり、図６中に図示された符号のうち第１の実施形態の本発明装置１と同一の符号は、同一の部材等を示している。なお、給電制御回路２１は、各発光手段３毎に設けて、各発光手段３が他の発光手段３と異なる発光状態となるようにすることもある。この場合、各給電制御回路２１の照射情報（例えば、照度や、色彩等の情報）は、連動手段２０に出力される。
【００４８】
（第３の実施の形態）
図７は本発明装置の第３の実施の形態を示すものであり、（Ｂ）は要部を断面した正面図及びブロック図を併記したものであり、（Ａ）は平面図である。本実施の形態に係る本発明装置４１が図１に示す第１の実施形態の本発明装置１と相違する点は、発光手段３、気泡混入手段４、吐水具５及び開閉弁６を備えた装置本体４２を複数組設けると共に、各装置本体４２毎に制御回路１４、給電制御回路２１及び連動手段２０を設けたことである。各装置本体４２の連動手段２０は、一組の音響装置１６から音情報（例えば、音量や、周波数に関する音質等の情報）を受けるようにしてある。
【００４９】
上記相違点以外の構成は、図１に示す第１の実施形態の本発明装置１と実質的に同一であり、図７中に図示された符号のうち第１の実施形態の本発明装置１と同一の符号は、同一の部材等を示している。
【００５０】
（第４の実施の形態）
図８は本発明装置の第４の実施の形態を示すものであって、要部を断面した正面図及びブロック図を併記したものである。本実施の形態に係る本発明装置５１が図２に示す第１の実施形態の本発明装置１と相違する点は、吐水具５の内部の水路領域２ａへ挿入した気泡噴射ノズル１１の開口先端側を、水路領域２ｂ（吐水口５ａ）及び水流を外観できる領域２ｃの各中心寄りを通過させて吐水口５ａから所望寸法Ｄの位置まで延設し、先端に気泡噴出口１１ｂを開口したことである。水流を外観できる領域２ｃ内へ延設した気泡噴射ノズル１１の部分１１ａは、水路領域２ｃの外周面と接しないようにし、水流Ｗの表面が平滑（層流）な上流側領域（層流域）Ｗａを確保するようにしてある。
【００５１】
上記相違点以外の構成は、図２に示す第１の実施形態の本発明装置１と実質的に同一であり、図７中に図示された符号のうち第１の実施形態の本発明装置１と同一の符号は、同一の部材等を示している。
【００５２】
本発明装置５１は、下垂方向へ吐水する態様以外に、水平方向から下垂方向の間の任意角度で吐水する態様のものとすることも可能である。この場合は、水流を外観できる領域２ｃ内へ延設した気泡噴射ノズル１１の部分１１ａを可撓性のチューブで形成し、水平方向から下垂方向の間の任意角度で吐水した水路領域２ｃを流れる水流Ｗからチューブに加わる力でチューブが彎曲状に変形し、水路領域２ｃの中心寄りへ自動的に位置するようにするとよい。
【００５３】
（第５の実施の形態）
図９は本発明装置の第５の実施の形態を示すものであって、要部を断面した正面図及びブロック図を併記したものである。本実施の形態に係る本発明装置６１が図２に示す第１の実施形態の本発明装置１と相違する点は、吐水具５の吐出口５ａから延設して水流を外観できる領域２ｃと洗面器等の受水器６２との交わる箇所に、発光手段３の照射部３ａ（９ｂ）を臨ませて、水流領域２ｃを流れる水流Ｗで照射部３ａの全体を覆うようにし、照射部３ａから出る光が水路領域２ｃの外側から直接見えないようにしたことである。発光手段３の照射部３ａから水流路２へ向かって照射して水流へ入射した光は、気泡混入手段４により水流に混入している多数の気泡Ｂで乱反射して前記水流を外観できる水路領域２ｃの横断面における全周囲から外側へ漏れ出し、発光することになる。本例の場合、水流Ｗの光る範囲Ｌの始点は、照射部３ａとなる。
【００５４】
上記相違点以外の構成は、図１に示す第１の実施形態の本発明装置１と実質的に同一であり、図９中に図示された符号のうち第１の実施形態の本発明装置１と同一の符号は、同一の部材等を示している。
【００５５】
なお、本発明装置６１は、水流を外観できる領域２ｃと受水器６２との交わる箇所が一定（例えば、定水量の水栓）であれば、吐出口５ａからの吐水方向が垂直な場合以外に斜め方向となっている場合でもよい。
【００５６】
（第６の実施の形態）
図１０は本発明装置の第６の実施の形態を示すものであって、要部を断面した正面図及びブロック図を併記したものである。本実施の形態に係る本発明装置７１が図１に示す第１の実施形態の本発明装置１と相違する点は、吐水具５の吐出口５ａから延設して水流を外観できる水路領域２ｃを透視可能なパイプ７２の内側に形成し、該パイプ７２の内側面に気泡混入手段４の複数個の気泡投入口１１ｂを水流方向に沿って適宜間隔毎に開口し、複数個の気泡投入口１１ｂの中から気泡投入口選択手段７４で選択した気泡投入口１１ｂから水路領域２ｃへ気泡Ｂを投入するようにしたことである。制御回路１４が発する指令信号ａ，ｂは、気泡投入口選択手段７４で選択されている気泡混入手段４へ出力される。パイプ７２の断面形状は、丸、楕円、三角又は四角等が選択される。
【００５７】
上記相違点以外の構成は、図１に示す第１の実施形態の本発明装置１と実質的に同一であり、図１０中に図示された符号のうち第１の実施形態の本発明装置１と同一の符号は、同一の部材等を示している。
【００５８】
気泡投入口１１ｂは、パイプ７２の内側を流れる水流Ｗを乱さない形状となっている。前記パイプ７２の延設方向に沿った形状は、直線形状以外に、彎曲部を介してジクザグに折れ曲がる形状又は渦巻き形状等の任意形状とすることが可能である。この場合、本発明装置７１は、パイプ７２の終端で吐水口を形成するか、パイプ７２の終端を吐水口具（図示略）に接続し、任意形状のパイプ７２から放される光を見ながら吐水させることができる。
【００５９】
本発明装置７１は、気泡投入口選択手段７４で複数個の気泡投入口１１ｂの中から選択した気泡投入口１１ｂ（図示の場合は、上から２番目）から水路領域２ｃを流れる流体Ｗへ気泡Ｂを混入することで、発光手段３から照射されて流体Ｗを通過する光が、選択した気泡投入口１１ｂより下流側に存在する多数の気泡Ｂで乱反射して外側へ漏れ出すことになる。その結果、本発明装置７１は、任意の気泡投入口１１ｂを選択することで、水流Ｗの光る位置を変更させることができる。
【００６０】
（第７の実施の形態）
図１１は本発明装置の第６の実施の形態を示すものであって、要部を断面した正面図及びブロック図を併記したものである。
【００６１】
本実施の形態に係る本発明装置８１は、水流路２、発光手段３、水量調節手段８６及び水量決定手段８７を備えている。水流路２は、水栓具等の吐水具５の内部に形成した領域２ａと、吐水具５に開設した吐水口５ａとなる領域２ｂと、吐水口５ａから自由に吐水できる吐水領域２ｃとからなり、吐水具５の内部に形成した領域２ａが水量調節手段８６を介して給水路７に連通している。
【００６２】
前記発光手段３は、前記第１の実施の形態と同様に、水流路２の内側に照射部３ａを臨ませ、水流路２を流れる水流Ｗで照射部３ａの全体を覆うようにして、照射部３ａから水流路２へ向かって照射した光を前記水流を外観できる吐水領域２ｃの外側から直接見えないようにしてある。本例の発光手段３は、吐水具５の外側に設けたＬＥＤ等からなるランプ８と、ガラス又は合成樹脂素材等から形成され、吐水具５の外側から吐水具５の内部の水路領域２ａへ挿入した導光部材９とからなり、ランプ８の発する光を導光部材９の一端面９ａで取り込んで他端面９ｂ（照射部３ａ）から水路領域２ｂ（吐水口５ａ）へ向かって照射し、照射した光が水流Ｗへ入射し、入射した光が前記水流を外観できる吐水領域２ｃを流れる水流Ｗを通過するようにしてある。前記ランプ８は、三原色の各色フランプを備えて、各ランプの組合せで所望の色彩の光を放つようにすることもある。発光手段３は、給電制御回路２１を備え、ランプ８の点灯時間帯、照度及び色彩等を給電制御回路２１で制御するようにしてある。
【００６３】
前記水量調節手段８６は、流量調節弁８６ａと、流量調節弁８６ａを操作する操作部８６ｂとを備え、操作部８６ｂで流量調節弁８６ａを操作して指定した吐水量を吐水口５ａから吐水させるようにしてある。
【００６４】
前記水量決定手段８７は、水流路２の後述する発光開始位置Ｅと吐水量の関係に基づいて、指定した発光開始位置Ｅに対応する吐水量の信号ｄを水量調節手段８６の操作部８６ｂへ出力するようにしてある。水流路２の発光開始位置Ｅと吐水量の関係は、予め試験した結果に基づいて決定される。信号ｄを受けた水量調節手段８６は、水量決定手段８７で指定した発光開始位置Ｅに対応する吐水量を吐水することになる。
【００６５】
前記吐水具５の吐水口５ａから吐水し水流Ｗは、その表面が平滑（層流面）な上流側領域（層流域）Ｗａと、その表面が非平滑（乱流面）な下流側領域（乱流域）Ｗｂを形成しする。上流側領域（層流域）Ｗａから下流側領域（乱流域）Ｗｂへ変遷する箇所（前記発光開始位置Ｅに相当する箇所）は、吐水口５ａから吐水する水量により変化する。すなわち、前記発光手段３から照射されて前記水流を外観できる吐水領域２ｃを流れる水流Ｗを通過する光は、水流Ｗの表面が平滑な上流側領域（層流域）Ｗａの表面で全反射し続けて外側へ漏れ出すことはなく、非平滑な表面となる下流側領域（乱流流域）Ｗｂで外側へ漏れ出して水流Ｗを光らせることになる。このように、水流Ｗの表面が平滑面な上流側領域Ｗａでは、水流表面から光が漏れ出すことはない。そのため、上流側領域（層流域）Ｗａから下流側領域（乱流域）Ｗｂへ変遷する箇所が前記発光開始位置Ｅとなる。
【００６６】
本実施の形態に係る本発明装置８１は、指定した発光開始位置Ｅを水量決定手段８７に入力すると、水量決定手段８７から指示を受けた水量調節手段８６が対応する吐水量に調節し、吐水路（水流を外観できる水路領域）２ｃを流れる水流Ｗの指定した発光開始位置Ｅから下流側で光を外側へ漏れ出させて発光する。従って、本発明装置８１は、吐水路２ｃを流れる水流Ｗの光る開始位置Ｅを指定できるようになる。
【００６７】
本実施の形態に係る本発明装置８１は、音響装置１６及び連動手段８８を備えている。該音響装置１６は、音楽テープ、ＣＤ（コンパクトディスク）若しくはＭＤ（ミニディスク）等を再生するプレーヤー、または、ラジオ電波を受信するチューナー等からなる音源供給装置１７と、トーンコントロール回路付きの増幅器１８と、スピーカ１９とを備え、音源供給装置１７の音源信号を増幅器１８で増幅してスピーカ１９で発音するようにしてある。
【００６８】
前記連動手段８８は、前記音源供給装置１７の音の変化と発光開始位置Ｅの変化とを連動させるために、前記音響装置１６の発する音情報（例えば、音量や、周波数に関する音質等の情報）に基づいて発光開始位置Ｅの目標値を決定するものである。音情報の内容に基づく制御の目標値の決定は、予め定めたルールに基づいて行われる。連動手段８８から目標値の指示を受けた水量決定手段８７は、目標値に対応する吐水量の信号ｄを水量調節手段８６へ出力し、吐水路（水流を外観できる水路領域２ｃ）を流れる水流Ｗの目標値の発光開始位置Ｅから下流側で光を外側へ漏れ出させて発光させることになる。このように、音の変化と水流Ｗの発光開始位置Ｅの変化とを連動させ、リラクゼーション効果を使用者に与えることができる。
【００６９】
また、本実施の形態に係る本発明装置８１は、照射の変化と水流Ｗの光る状態の変化とを連動させるために、給電制御回路２１からの照射情報（例えば、照度や、色彩等の情報）に基づいて発光開始位置Ｅの目標値を決定するものである。照射情報の内容に基づく制御の目標値の決定は、予め定めたルールに基づいて行われる。連動手段８８から目標値の指示を受けた水量決定手段８７は、目標値に対応する吐水量の信号ｄを水量調節手段８６へ出力し、吐水路（水流を外観できる水路領域）２ｃを流れる水流Ｗの目標値の発光開始位置Ｅから下流側で光を外側へ漏れ出させて発光させることになる。このように、発光手段３の照射の変化と水流Ｗの発光開始位置Ｅの変化とを連動させ、リラクゼーション効果を使用者に与えることができる。
【００７０】
なお、本発明装置８１は、吐出口５ａから下垂方向へ吐水する態様のものであるが、これに限定するものではなく、水平方向から下垂方向の間の任意角度で吐水する態様のものや、斜め上方へ吐水する態様のものであってもよい。
【図面の簡単な説明】
【００７１】
【図１】本発明装置の第１の実施の形態を示すものであって、要部を断面した正面図及びブロック図を併記したものである。
【図２】第１の実施の形態において気泡混入手段の配置位置が異なる態様を示すものであって、要部を断面した正面図及びブロック図を併記したものである。
【図３】第１の実施の形態においてスリット状の吐出口から帯状の水流を吐出している態様を示すものであって、要部を断面した正面図及びブロック図を併記したものである。
【図４】第１の実施の形態において複数の吐出口から水流を吐出している態様を示すものであって、要部を断面した正面図及びブロック図を併記したものである。
【図５】第１の実施の形態において複数の吐水口を備えると共に各吐水口より上流側を透視可能なパイプで形成した態様を示すものであって、要部を断面した正面図及びブロック図を併記したものである。
【図６】本発明装置の第２の実施の形態を示すものであって、要部を断面した正面図及びブロック図を併記したものである。
【図７】本発明装置の第３の実施の形態を示すものであり、（Ａ）は平面図、（Ｂ）は要部を断面した正面図及びブロック図を併記したものである。
【図８】本発明装置の第４の実施の形態を示すものであって、要部を断面した正面図及びブロック図を併記したものである。
【図９】本発明装置の第５の実施の形態を示すものであって、要部を断面した正面図及びブロック図を併記したものである。
【図１０】本発明装置の第６の実施の形態を示すものであって、要部を断面した正面図及びブロック図を併記したものである。
【図１１】本発明装置の第６の実施の形態を示すものであって、要部を断面した正面図及びブロック図を併記したものである。
【符号の説明】
【００７２】
２…水流路、２ａ…吐水具５の内部に形成した領域、２ｂ…吐水具５に開設した吐水口５ａとなる領域、２ｃ…吐水口５ａから外部へ延設して水路外側から水流を外観できる領域、３…発光手段、３ａ…照射部、４…気泡混入手段、５…吐水具、６…開閉弁、７…給水路、８…ランプ、９…導光部材、９ａ…一端面、９ｂ…他端面、１０…開閉弁、１１…気泡噴射ノズル、１１ｂ…気泡噴出口、１１ａ…領域２ｃ内へ延設した部分、１２…気泡調節手段、１３…操作部、１４…制御回路、１５…パイプ、１６…音響装置、１７…音源供給装置、１８…増幅器、１９…スピーカ、２０…連動手段、４２…装置本体、６２…受水器、７２…パイプ、７４…気泡投入口選択手段、８６…水量調節手段、８６ａ…流量調節弁、８６ｂ…操作部、８８…連動手段
【図１】
2006125060.tif 000003
【図２】
2006125060.tif 000004
【図３】
2006125060.tif 000005
【図４】
2006125060.tif 000006
【図５】
2006125060.tif 000007
【図６】
2006125060.tif 000008
【図７】
2006125060.tif 000009
【図８】
2006125060.tif 000010
【図９】
2006125060.tif 000011
【図１０】
2006125060.tif 000012
【図１１】
2006125060.tif 000013